(57)【要約】      （修正有）【課題】プラグ胴体と電気導線との間に断線が発生しても、ユーザの感電、もしくは断線部で発生したスパークによる火災を防止できるよう保護チューブが備えられたパワーコードを提供する。【解決手段】パワーコードは、プラグピン１１０、プラグ胴体１２０および電気導線１３０を含み、電気を供給するために電源コンセントに挿入されるパワーコードにおいて、電気導線１３０とプラグ胴体１２０の連結部を取り囲むように設けられた保護チューブ２００と、保護チューブ２００が連結部から離脱されることを抑えるべく、電気導線１３０に設けられた遊動規制突起１３１と、を含み、保護チューブ２００の内面と電気導線１３０との間に空間部が形成される。【選択図】図１
2006310263.tif 000002
【特許請求の範囲】
【請求項１】
プラグピン、プラグ胴体および電気導線を含み、電気を供給するために電源コンセントに挿入されるパワーコードにおいて、
前記電気導線と前記プラグ胴体の連結部を取り囲むように設けられた保護チューブと、
前記保護チューブが前記連結部から離脱されることを抑えるべく、前記電気導線に設けられた遊動規制突起と、を含み、
前記保護チューブの内面と前記電気導線との間に空間部が形成されることを特徴とするパワーコード。
【請求項２】
前記プラグ胴体は、前記保護チューブの一端を保持するように保持突起を更に含むことを特徴とする請求項１に記載のパワーコード。
【請求項３】
前記保持突起は前記プラグ胴体と一体に形成され、前記遊動規制突起は前記電気導線と一体に射出成型されることを特徴とする請求項２に記載のパワーコード。
【請求項４】
前記保護チューブの一端は、前記遊動規制突起から外れないように、前記保護チューブの中心方向に向って折り曲げて形成され、前記遊動規制突起および前記電気導線に同時に接触されることを特徴とする請求項１に記載のパワーコード。
【請求項５】
前記保護チューブは、弾性変形の可能な非導電性ゴムまたは樹脂材質のいずれかで形成されることを特徴とする請求項１に記載のパワーコード。
【発明の詳細な説明】
【技術分野】
【０００１】
本発明は、パワーコードに関し、詳細にはパワーコードの漏電および断線などにより生じるスパークからユーザを保護する保護チューブを備えたパワーコードに関する。
【背景技術】
【０００２】
パワーコードの電気導線およびプラグ胴体の連結部は折れ目であって、主に断線される部分である。係る断線を防ぐために電気導線とプラグ胴体の連結部に補強材を使用することが一般的である。
【０００３】
その一例として、韓国公開実用新案１９８６−１１０９２号には、電気導線とプラグ胴体の連結部に形成された補強材と共に、後方へ一体に延長形成された管状の断線保護カバーが備えられた技術が公開されている。係る構成によると、ユーザが断線部に直接接触されることは防止できるものの、前記断線保護カバーの後方が開放されていることから、ユーザ感電の危険さが依然として存在する。また、前記断線保護カバーの開放された部分を通して断線部で生じたスパークが外部に影響を及ぼし、火災などを引き起こす問題点を抱えている。
【発明の開示】
【発明が解決しようとする課題】
【０００４】
本発明は前述した問題点を解決するために案出されたもので、本発明の目的は、プラグ胴体と電気導線との間に断線が生じても、ユーザの感電、あるいは断線部で発生したスパークによる火災を防止させた保護チューブの備えられたパワーコードを提供することにある。
【課題を解決するための手段】
【０００５】
前述の目的を達成するための本発明に係るパワーコードは、プラグピン、プラグ胴体および電気導線を含み、電気を供給するために電源コンセントに挿入されるパワーコードにおいて、前記電気導線と前記プラグ胴体の連結部を取り囲むように設けられた保護チューブと、前記保護チューブが前記連結部から離脱されることを抑えるべく、前記電気導線に設けられた遊動規制突起と、を含み、前記保護チューブの内面と前記電気導線との間に空間部が形成されることを特徴とする。
【０００６】
本発明の好適な実施形態によると、前記プラグ胴体は、前記保護チューブの一端を保持するように保持突起を備えることが好ましい。
【０００７】
前記保持突起は前記プラグ胴体と一体に形成され、前記遊動規制突起は前記電気導線と一体に射出成型される。
【０００８】
また、前記保護チューブの一端は、前記遊動規制突起から外れないように、前記保護チューブの中心方向に向って折り曲げて形成され、前記遊動規制突起および前記電気導線に同時に接触されることが好ましい。
【０００９】
前記保護チューブは、弾性変形の可能な非導電性ゴムまたは樹脂材質のいずれかで形成されることがよい。
【発明の効果】
【００１０】
本発明によると、保護チューブおよび空間部の構成により、プラグ胴体と電気導電との間の断線部がユーザに直接露出されることを抑えるので、ユーザの感電事故やスパークによる火災の危険さを解消することができる。
【００１１】
さらに、電気導線と一体に射出成型された遊動規制突起が備えられる場合に、遊動規制突起により保護チューブが離脱されることを防止できる。
【００１２】
そして、保護チューブの端部を保持する保持突起はプラグをコンセントから除去する際に取っ手部として使用できるため、ユーザがより簡単にプラグを除去することができる。
【発明を実施するための最良の形態】
【００１３】
以下、添付の図面に基づいて本発明の好適な実施形態を詳述する。
【実施例】
【００１４】
図１は本発明に係るパワーコードの分解斜視図である。
【００１５】
同図に示したように、本発明に係るパワーコードは、プラグピン１１０、プラグ胴体１２０、電気導線１３０、および保護チューブ２００を含み、保護チューブ２００を保持するための保持突起１２０ｃと遊動規制突起１３１がプラグ胴体１２０と電気導線１３０に一体形成されている。
【００１６】
プラグピン１１０は、壁面に設けられたコンセント（図示せず）に挿入され電気供給される。
【００１７】
プラグ胴体１２０は、プラグベース１２０ａ、プラグ延長部１２０ｂ、および保持突起１２０ｃを含んでいる。
【００１８】
プラグベース１２０ａは、プラグ胴体を形成するものとして、プラグピン１１０と電気導線１３０とがその内部で結線されている。プラグ延長部１２０ｂはプラグベース１２０ａから延長形成され電気導線１３０を固定させ保持する。保持突起１２０ｃはプラグベース１２０ａと共に形成されるものであって、ユーザがプラグ胴体１２０を把持しやすいよう形成され、保護チューブ２００の設置位置を規制する。
【００１９】
一方、プラグベース１２０ａ、プラグ延長部１２０ｂ、および保持突起１２０ｃは硬い樹脂材質で射出成型されている。
【００２０】
電気導線１３０は、その内部に図示されていない電線が被覆により取り囲まれ、ユーザの便利性のために自由自在に曲げられる軟線から備えられる。
【００２１】
ところで、プラグ胴体１２０の場合、硬い樹脂材質で射出成型されているので、頻繁な使用によってもその内部に結線された電線が断線されてしまう恐れはほとんどない。しかし、プラグ胴体１２０と電気導線１３０の連結部１２１は頻繁に折られる場合電気導線１３０の被覆が磨耗され、被覆内の電線が外部に露出される不具合が生じる。
【００２２】
本発明によるパワーコードは、このように連結部１２１がやぶれて電線が露出される場合、ユーザがこの露出された電線に流れる電気に感電されたり、露出された電線との間で発生するスパークによる火災を防止するために連結部１２１を覆うことのできる保護チューブ２００を備える。
【００２３】
保護チューブ２００は、ゴムまたは樹脂材質の非導電性の材質からなり、電気漏れの恐れを遮断する。
【００２４】
保護チューブ２００は、図２および図３に示したように、一端は保持突起１２０ｃにより保持され、他端は電気導線１３０に被覆と共にモールディング形成される遊動規制突起１３１により離脱防止される。そして、遊動規制突起１３１と接する保護チューブ２００の終端には保持面２１０が形成される。保持面２１０は、遊動規制突起１３１から離れないように保護チューブ２００の中心方向に向って折り曲げられ、遊動規制突起１３１および電気導線１３０に同時に接触される。
【００２５】
本発明の好ましい実施の形態によると、保持面２１０は、図２および図４に示したように、
（外１）
2006310263.tif 000003
字状に折り曲げられて遊動規制突起１３１に面接触される。この保持面２１０は、保護チューブ２００が図１に示したような矢印方向に結合されるには、遊動規制突起１３１により保護チューブ２００の外側方向に向って弾性変形され、保護チューブ２００は遊動規制突起１３１を通過する。しかし、保護チューブ２００が前記方向と逆方向である離脱される方向へと進行する場合には、保持面２１０の終端は電気導線１３０と摩擦し、保持面２１０は遊動規制突起１３１に保持される。従って、保護チューブ２００が遊動規制突起１３１を通過し結合されることは簡単であるが、遊動規制突起１３１を通過し分離されることは難しい。
【００２６】
そして、保護チューブ２００とプラグ延長部１２０ｂとは密着されており、プラグ延長部１２０ｂおよび電気導線１３０の段付けられた部分にて所定の間隔離隔された空間部（Ａ）が形成される。この空間部（Ａ）は連結部１２１と保護チューブ２００の内周面との間に緩衝空間として働き、連結部１２１の被覆がはがれ内部電線のショートによってスパークが発生しても、発生されたスパークが空間部（Ａ）にて先に放電されることから、保護チューブ２００にスパーク放電による電気的な影響は抑えられる。さらに、発生されたスパークは保護チューブ２００と遊動規制突起１３１により形成された密閉された空間部（Ａ）から規制されるため、内部電線のショートにより発生されたスパークによる火災を抑えることができる。
【００２７】
以上、図面に基づいて本発明の好適な実施形態を図示および説明してきたが本発明の保護範囲は、前述の実施形態に限定するものではなく、特許請求の範囲に記載された発明とその均等物にまで及ぶものである。
【産業上の利用可能性】
【００２８】
本発明は真空掃除機のようにパワーコードに多くの荷重がかかる電子製品に幅広く使用される。
【図面の簡単な説明】
【００２９】
【図１】本発明に係るパワーコードを示した分解斜視図である。
【図２】本発明に係るパワーコードに結合される保護チューブの断面図である。
【図３】図２の保護チューブが結合されたパワーコードを示した図である。
【図４】本発明に係るパワーコードの一部を切開した腰部断面図である。
【符号の説明】
【００３０】
１１０      プラグピン
１２０      プラグ胴体
１２０ａ    プラグベース部
１２０ｂ    プラグ延長部
１２０ｃ    保持突起
１２１      連結部
１３０      電気導線
１３１      保持突起
２００      保護チューブ
２１０      保持面
Ａ          空間部
【図１】
2006310263.tif 000004
【図２】
2006310263.tif 000005
【図３】
2006310263.tif 000006
【図４】
2006310263.tif 000007